(57)【要約】      （修正有）【課題】対物レンズと対物レンズ保持部を固定するための接着剤塗布部の接着強度を向上させる。【解決手段】第２面側の平坦部と当接関係にある対物レンズ保持部１１０の対物レンズ当接部１１０ｃに円周状の溝部１１０ｅを設け、この溝部１１０ｅと接着剤塗布部１１０ｄとを連結部１１０ｆにより連結させる。これによって塗布した接着剤は溝まで達し、毛細管現象により溝部１１０ｅに流れ込み、その結果対物レンズの第２面側平坦部と対物レンズ当接部１１０ｃが接着固定状態になるため、接着強度は飛躍的に向上する。【選択図】図５
2010073252.tif 000002
【特許請求の範囲】
【請求項１】
外周に平坦部を有し、円盤状情報記録媒体の信号部に光を集光させる対物レンズと、
前記対物レンズに前記光を照射可能にする為の開口部と前記対物レンズを取り付ける保持部と前記対物レンズを固定する為の接着剤を塗布する接着剤塗布部とを有する対物レンズ保持部と、
前記円盤状情報記録媒体のフォーカス及びトラッキング方向に前記対物レンズを移動させる駆動部と、を備えた対物レンズ駆動装置であって、
前記対物レンズ保持部は、前記対物レンズの前記平坦部と当接する部分に、円周状の溝、及び前記溝と前記接着剤塗布部とを連結状態にする凹部を有し、前記溝に流れ込んだ接着剤により前記対物レンズを接着固定することを特徴とする対物レンズ駆動装置。
【請求項２】
外周に平坦部を有し、円盤状情報記録媒体の信号部に光を集光させる対物レンズと、
前記対物レンズに前記光を照射可能にする為の開口部と前記対物レンズを取り付ける保持部と前記対物レンズを固定する為の接着剤を塗布する接着剤塗布部とを有する対物レンズ保持部と、
前記円盤状情報記録媒体のフォーカス及びトラッキング方向に前記対物レンズを移動させる為の駆動部と、を備えた対物レンズ駆動装置であって、
前記対物レンズは、前記平坦部に円周状の溝、及び前記溝と前記対物レンズ保持部の接着剤塗布部を連結状態にする凹部を有し、前記溝に流れ込んだ接着剤により前記対物レンズ保持部に接着固定されることを特徴とする対物レンズ駆動装置。
【請求項３】
外周に平坦部を有し、円盤状情報記録媒体の信号部に光を集光させる対物レンズと、
前記対物レンズに前記光を照射可能にする為の開口部と前記対物レンズを取り付ける保持部と前記対物レンズを固定する為の接着剤を塗布する接着剤塗布部とを有する対物レンズ保持部と、
前記円盤状情報記録媒体のフォーカス及びトラッキング方向に前記対物レンズを移動させる為の駆動部と、を備えた対物レンズ駆動装置であって、
前記対物レンズは、前記平坦部に円周状の溝を有し、
前記対物レンズ保持部は、前記溝と前記接着剤塗布部とを連結状態にする凹部を有し、前記溝に流れ込んだ接着剤により前記対物レンズを接着固定することを特徴とする対物レンズ駆動装置。
【請求項４】
外周に平坦部を有し、円盤状情報記録媒体の信号部に光を集光させる対物レンズと、
前記対物レンズに前記光を照射可能にする為の開口部と前記対物レンズを取り付ける保持部と前記対物レンズを固定する為の接着剤を塗布する接着剤塗布部とを有する対物レンズ保持部と、
前記円盤状情報記録媒体のフォーカス及びトラッキング方向に前記対物レンズを移動させる為の駆動部とを備えた対物レンズ駆動装置であって、
前記対物レンズ保持部は、前記対物レンズの前記平坦部と当接する部分に円周状の溝を有し、
前記対物レンズは、前記溝と前記接着剤塗布部を連結状態にする凹部を有し、前記溝に流れ込んだ接着剤により前記対物レンズ保持部に接着固定されることを特徴とする対物レンズ駆動装置。
【発明の詳細な説明】
【技術分野】
【０００１】
本発明は円盤状情報記録媒体に情報の記録や再生を行う光ピックアップに搭載される対物レンズ駆動装置に関するものである。
【背景技術】
【０００２】
近年、円盤状情報記録媒体記録再生装置は、ＢＤ（Ｂｌｕ−ｒａｙ  Ｄｉｓｃ）、ＤＶＤ（Ｄｉｇｉｔａｌ  Ｖｅｒｓａｔｉｌｅ  Ｄｉｓｃ）、ＭＤ、ＣＤ、ＣＤ−ＲＯＭ用などその用途は年々多様化すると共に、益々高密度、小型、高性能、高品質、高付加価値化している。
【０００３】
円盤状情報記録媒体記録再生装置の小型化に伴い、光ピックアップ、及びそれを構成する対物レンズ駆動装置に関する小型化、薄型化の要求が高まっている。
【０００４】
対物レンズ駆動装置を小型化する技術として、特許文献１では、対物レンズ保持部のガイド部に凹部を設け、凹部の位置する箇所で、対物レンズを固着することにより、対物レンズの下方への接着剤の回り込みをなくすことができ、接着による光学特性の劣化を防止することができる技術が開示されている。
【特許文献１】特開平８−３２９５０８号公報
【発明の開示】
【発明が解決しようとする課題】
【０００５】
しかしながら、上記の構成では、対物レンズと対物レンズ保持部を固定するための接着剤塗布部が４カ所程度に限られ、対物レンズ側の接着面は対物レンズ側面の一部となっている。そのため、接着強度不足が発生し、落下や振動などの衝撃により対物レンズが外れる可能性があるという課題がある。
【課題を解決するための手段】
【０００６】
上記課題を解決するために本発明の対物レンズ駆動装置は、外周に平坦部を有し、円盤状情報記録媒体の信号部に光を集光させる対物レンズと、前記対物レンズに前記光を照射可能にする為の開口部と前記対物レンズを取り付ける保持部と前記対物レンズを固定する為の接着剤を塗布する接着剤塗布部とを有する対物レンズ保持部と、前記円盤状情報記録媒体のフォーカス及びトラッキング方向に前記対物レンズを移動させる駆動部と、を備えた対物レンズ駆動装置であって、前記対物レンズ保持部は、前記対物レンズの前記平坦部と当接する部分に、円周状の溝、及び前記溝と前記接着剤塗布部とを連結状態にする凹部を有し、前記溝に流れ込んだ接着剤により前記対物レンズを接着固定することを特徴とする。
【発明の効果】
【０００７】
上記の構成によって、接着剤は、毛細管現象により溝部に流れ込み、その結果、対物レンズと対物レンズ当接部とが接着固定状態になるため、接着強度は飛躍的に向上する。また、対物レンズは透明なため、接着状態を上側から視認でき、容易に目視検査可能である。
【発明を実施するための最良の形態】
【０００８】
以下、本発明の対物レンズ駆動装置を用いた円盤状情報記録媒体記録再生装置の実施の形態について、図面を用いて説明する。
（実施の形態１）
図１及び図２は、円盤状情報記録媒体記録再生装置の概略的な構成図およびその動作原理を説明する図である。
【０００９】
図１において、円盤状情報記録媒体記録再生装置は、集積ユニット１、反射ミラー２、光学ベース３、対物レンズ４、コリメートレンズ５、及び対物レンズ４を円盤状情報記録媒体のフォーカスおよびラジアル方向に駆動する対物レンズ駆動装置７により構成される。集積ユニット１は半導体レーザ、受光素子、回折格子によって構成される。
【００１０】
以上のように構成された円盤状情報記録媒体記録再生装置について、その動作を図２を用いて説明する。
【００１１】
集積ユニット１の半導体レーザより発せられた光の軌跡８は、コリメートレンズ５によって平行光になり、その後、反射ミラー２によって９０度の角度で曲げられ、円盤状情報記録媒体６に対し、垂直方向に進む。そして対物レンズ駆動装置７に装着された対物レンズ４によって光は収束され、円盤状情報記録媒体６上に直径１ミクロン程度の光スポット９として集光される。円盤状情報記録媒体６からの反射光は、逆の経路をたどり、集積ユニット１に戻る。そして集積ユニット１内の回折格子によって分割され、受光素子に入射し、対物レンズ駆動装置をフォーカス方向及びトラッキング方向に制御する為の信号や円盤状機情報記録媒体６に記録された情報に変換される。
【００１２】
ここで、対物レンズ駆動装置７について、図３及び図４を用いて、より詳細に説明する。
【００１３】
対物レンズ駆動装置７は、対物レンズ４と、対物レンズ４を保持する対物レンズ保持部１１０と、対物レンズ保持部１１０をフォーカス方向（円盤状情報記録媒体６の記録面に対し垂直方向）に移動させるフォーカスコイル１１と、対物レンズ保持部１１０をトラッキング方向（円盤状情報記録媒体半径方向）に移動させるトラッキングコイル１２と、フォーカスコイル１１及びトラッキングコイル１２に電流を供給する役割を担っていると共に、対物レンズ保持部１１０を中立位置にキープしているバネ性を有したサスペンションワイヤ１３と、サスペンションワイヤ１３を固定しサスペンションワイヤ１３のダンピングに用いるシリコン系のゲルを塗布または溝を有するサスペンションワイヤ保持部１４と、フォーカスコイル１１及びトラッキングコイル１２に磁場を与えるマグネット１５と、マグネット１５及びサスペンションワイヤ保持部１４が接着などにより固定されると共に、マグネット１５の磁場効率を図る働きを持つ対物レンズ駆動ベース１６によって構成される。
【００１４】
対物レンズ４の動作について以下に説明を行う。
【００１５】
集積ユニット１によって、対物レンズ駆動装置７を円盤状情報記録媒体６の特定の場所に光スポット９が結ぶようにフォーカス方向及びトラッキング方向に制御する為の信号が作り出される。その信号はサスペンションワイヤ１３を介してフォーカスコイル１１及びトラッキングコイル１２に送られ、その結果電界が発生する。その電界とマグネット１５の磁界によって、フレミングの左手の法則に従って対物レンズ保持部１１０に力が働き、その力とサスペンションワイヤ１３のバネ性による力がつりあうところまで変位する。その結果、光スポット９は円盤状記録媒体６の特定の場所に焦点を結ぶことになる。
【００１６】
対物レンズ保持部１１０は、図５に示す様に、対物レンズ４に対し光を通過可能にする開口部１１０ａと、対物レンズ４の円形状の外形を保持するためのガイド部１１０ｂと、対物レンズ４を保持し第２面側平坦部４ｂａと当接関係にある対物レンズ当接部１１０ｃと、対物レンズ４と対物レンズ保持部１１０を固定するための接着剤１１７を塗布する接着剤塗布部１１０ｄを有する。
【００１７】
この対物レンズ駆動装置１０７における対物レンズ保持部１１０と対物レンズ４の関係を、図５、図６及び図７を用いて説明する。対物レンズ４の第２面側平坦部４ｂａと当接関係にある対物レンズ保持部１１０の対物レンズ当接部１１０ｃに円周状の溝１１０ｅを設け、この溝１１０ｅと接着剤塗布部１１０ｄとを連結させる凹状の連結路１１０ｆを設ける。
【００１８】
これによって塗布した接着剤１１７は溝まで達し、毛細管現象により溝部に流れ込み、その結果、対物レンズ４の第２面側平坦部４ｂａと対物レンズ当接部１１０ｃが接着固定状態になるため、接着強度は飛躍的に向上する。また、対物レンズ４は透明なため、接着状態を上側から視認できるため、容易に目視検査可能である。また、対物レンズ４の第２面側平坦部４ｂａのうち外側と対物レンズ当接部１１０ｃが接触状態となるため、対物レンズ保持部１１０に対する対物レンズ４の取り付け精度が悪化するという問題も発生しない。
【００１９】
なお、図面では溝部１１０ｅが円周全周にわたって敷設されているが、途中で途切れていたとしても本特許の効果は十分あるため、問題ない。
（実施の形態２）
以下、本発明の実施の形態２について、図８及び図９を用いて説明する。第２面側平坦部１０４ｂａに円周状の溝１０４ｃを設け、この溝１０４ｃと接着剤塗布部１０ｄとを連結させる凹状の連結路１０４ｄを設ける。これによって塗布した接着剤１１８は溝まで達し、毛細管現象により溝部に流れ込み、その結果対物レンズ４の第２面側平坦部１０４ｂａと対物レンズ当接部１０ｃが接着固定状態になるため、接着強度は飛躍的に向上する。また、対物レンズ１０４は透明なため接着状態を上側から視認できるため、容易に目視検査可能である。また、対物レンズ４の第２面側平坦部１０４ｂａのうち外側と対物レンズ当接部１０ｃが接触状態となるため、対物レンズ保持部１０に対する対物レンズ１０４の取り付け精度が悪化するという問題も発生しない。
【００２０】
なお、図面では溝部１０４ｃが円周全周にわたって敷設されているが、途中で途切れていたとしても本特許の効果は十分あるため、本特許に包含される。
（実施の形態３）
以下、本発明の実施の形態３について、図１０、図１１及び図１２を用いて説明する。第２面側平坦部２０４ｂａに円周状の溝２０４ｃを設け、対物レンズ保持部２１０にこの溝２０４ｃと接着剤塗布部２１０ｄとを連結させる凹状の連結路２１０ｆを設ける。これによって塗布した接着剤２１７は溝まで達し、毛細管現象により溝部に流れ込み、その結果対物レンズ４の第２面側平坦部２０４ｂａと対物レンズ当接部２１０ｃが接着固定状態になるため、接着強度は飛躍的に向上する。また、対物レンズ２０４は透明なため接着状態を上側から視認できるため、容易に目視検査可能である。また、対物レンズ４の第２面側平坦部２０４ｂａのうち外側と対物レンズ当接部２１０ｃが接触状態となるため、対物レンズ保持部２１０に対する対物レンズ２０４の取り付け精度が悪化するという問題も発生しない。
【００２１】
なお、図面では溝部２０４ｃが円周全周にわたって敷設されているが、途中で途切れていたとしても本特許の効果は十分あるため、本特許に包含される。
（実施の形態４）
以下、本発明の実施の形態４について、図１３、図１４、及び図１５を用いて説明する。対物レンズの第２面側平坦部３０４ｂａと当接関係にある対物レンズ保持部の対物レンズ当接部３１０ｃに円周状の溝３１０ｅを設け、対物レンズ３０４の第２面側平坦部３０４ｂａにこの溝３１０ｅと接着剤塗布部３１０ｄとを連結させる凹状の連結路３０４ｃを設ける。これによって塗布した接着剤３１７は溝まで達し、毛細管現象により溝部に流れ込み、その結果対物レンズ３０４の第２面側平坦部３０４ｂａと対物レンズ当接部３１０ｃが接着固定状態になるため、接着強度は飛躍的に向上する。また、対物レンズ４は透明なため接着状態を上側から視認できるため、容易に目視検査可能である。また、対物レンズ４の第２面側平坦部３０４ｂａのうち外側と対物レンズ当接部３１０ｃが接触状態となるため、対物レンズ保持部３１０に対する対物レンズ３０４の取り付け精度が悪化するという問題も発生しない。
【００２２】
なお、図面では溝部３１０ｅが円周全周にわたって敷設されているが、途中で途切れていたとしても本特許の効果は十分あるため、本特許に包含される
【産業上の利用可能性】
【００２３】
本発明にかかる対物レンズ駆動装置は様々な円盤状情報記録媒体に再生、記録する光ピックアップに用いることが可能で、特に対物レンズと対物レンズ保持部の接着強度を向上させる必要がある時に有効な手段である。
【図面の簡単な説明】
【００２４】
【図１】円盤状情報記録媒体記録再生装置の構成図
【図２】円盤状情報記録媒体記録再生装置の光学構成図
【図３】本発明の実施の形態１における対物レンズ駆動装置の斜視図
【図４】本発明の実施の形態１における対物レンズ駆動装置の平面図
【図５】本発明の実施の形態１における対物レンズ保持部の斜視図
【図６】本発明の実施の形態１における対物レンズ保持部の平面図
【図７】本発明の実施の形態１における対物レンズ保持部と対物レンズの組図
【図８】本発明の実施の形態２における対物レンズの平面図
【図９】本発明の実施の形態２における対物レンズ保持部と対物レンズの組図
【図１０】本発明の実施の形態３における対物レンズの平面図
【図１１】本発明の実施の形態３における対物レンズ保持部の平面図
【図１２】本発明の実施の形態３における対物レンズ保持部と対物レンズの組図
【図１３】本発明の実施の形態４における対物レンズの平面図
【図１４】本発明の実施の形態４における対物レンズ保持部の平面図
【図１５】本発明の実施の形態４における対物レンズ保持部と対物レンズの組図
【符号の説明】
【００２５】
１    集積ユニット
２    反射ミラー
３    光学ベース
４    対物レンズ
４ａ    対物レンズの第１面
４ａａ    対物レンズの第１面平坦部
４ａｂ    対物レンズの第１面曲面部
４ｂ    対物レンズの第２面
４ｂａ    対物レンズの第２面平坦部
４ｂｂ    対物レンズの第２面曲面部
５    コリメートレンズ
６    円盤状情報記録媒体
７    対物レンズ駆動装置
７ａ    対物レンズ駆動装置の基準面
８    レーザ光の軌跡
９    光スポット
１１    フォーカスコイル
１２    トラッキングコイル
１３    サスペンションワイヤ
１４    サスペンションワイヤ保持部
１５    マグネット
１６    対物レンズ駆動ベース
１７    接着剤
１０４    対物レンズ
１０４ａ    対物レンズの第１面
１０４ａａ    対物レンズの第１面平坦部
１０４ａｂ    対物レンズの第１面曲面部
１０４ｂ    対物レンズの第２面
１０４ｂａ    対物レンズの第２面平坦部
１０４ｂｂ    対物レンズの第２面曲面部
１０４ｃ    対物レンズの溝部
１０４ｄ    対物レンズの連結路
１０７    対物レンズ駆動装置
１１０    対物レンズ保持部
１１０ａ    対物レンズ保持部の開口部
１１０ｂ    対物レンズ保持部の対物レンズガイド部
１１０ｃ    対物レンズ保持部の対物レンズ当接部
１１０ｄ    対物レンズ保持部の接着剤塗布部
１１０ｅ    対物レンズ保持部の溝部
１１０ｆ    対物レンズ保持部の連結路
１１７    接着剤
１１８    接着剤
２０４    対物レンズ
２０４ａ    対物レンズの第１面
２０４ａａ    対物レンズの第１面平坦部
２０４ａｂ    対物レンズの第１面曲面部
２０４ｂ    対物レンズの第２面
２０４ｂａ    対物レンズの第２面平坦部
２０４ｂｂ    対物レンズの第２面曲面部
２０４ｃ    対物レンズの溝部
２１０    対物レンズ保持部
２１０    対物レンズ保持部
２１０ａ    対物レンズ保持部の開口部
２１０ｂ    対物レンズ保持部の対物レンズガイド部
２１０ｃ    対物レンズ保持部の対物レンズ当接部
２１０ｄ    対物レンズ保持部の接着剤塗布部
２１０ｆ    対物レンズ保持部の連結路
２１７    接着剤
３０４    対物レンズ
３０４ａ    対物レンズの第１面
３０４ａａ    対物レンズの第１面平坦部
３０４ａｂ    対物レンズの第１面曲面部
３０４ｂ    対物レンズの第２面
３０４ｂａ    対物レンズの第２面平坦部
３０４ｂｂ    対物レンズの第２面曲面部
３０４ｄ    対物レンズの連結路
３１０    対物レンズ保持部
３１０    対物レンズ保持部
３１０ａ    対物レンズ保持部の開口部
３１０ｂ    対物レンズ保持部の対物レンズガイド部
３１０ｃ    対物レンズ保持部の対物レンズ当接部
３１０ｄ    対物レンズ保持部の接着剤塗布部
３１０ｅ    対物レンズ保持部の溝部
３１７    接着剤
【図１】
2010073252.tif 000003
【図２】
2010073252.tif 000004
【図３】
2010073252.tif 000005
【図４】
2010073252.tif 000006
【図５】
2010073252.tif 000007
【図６】
2010073252.tif 000008
【図７】
2010073252.tif 000009
【図８】
2010073252.tif 000010
【図９】
2010073252.tif 000011
【図１０】
2010073252.tif 000012
【図１１】
2010073252.tif 000013
【図１２】
2010073252.tif 000014
【図１３】
2010073252.tif 000015
【図１４】
2010073252.tif 000016
【図１５】
2010073252.tif 000017